(57)【要約】      （修正有）【課題】冷凍装置の熱源ユニットのアキュムレータとレシーバとを別体に構成するとともに熱源ユニットの占有面積を小さくする熱源ユニットを提供する。【解決手段】室外ユニットは、蒸気圧縮式の冷凍サイクルを行なわせるための室外側冷媒回路を有している。この室外側冷媒回路は、室外ユニットの本体ケーシングに収納されている。高圧レシーバ２７は、室外側冷媒回に接続されている容器２７ａで形成され、アキュムレータ２６も、室外側冷媒回に接続されている容器２６ａで形成されている。そして、容器２６ａと容器２７ａは、本体ケーシング内において上下に並べて配置されている。【選択図】図４
2015098974.tif 000002
【特許請求の範囲】
【請求項１】
冷凍サイクルを行なわせるための熱源側冷媒回路（１２）を有する冷凍装置の熱源ユニット（２０）であって、
前記熱源側冷媒回路を収納する本体ケーシング（４０）と、
前記熱源側冷媒回路に接続されている第１冷媒貯留容器（２７ａ）で形成されているレシーバ（２７）と、
前記熱源側冷媒回路に接続され、前記第１冷媒貯留容器とは別体の第２冷媒貯留容器（２６ａ）で形成されているアキュムレータ（２６）と
を備え、
前記第１冷媒貯留容器と前記第２冷媒貯留容器は、前記本体ケーシング内において上下に並べて配置されている、冷凍装置の熱源ユニット。
【請求項２】
前記レシーバと前記アキュムレータは、前記第１冷媒貯留容器と前記第２冷媒貯留容器が互いの間に隙間を持つように配置されている、
請求項１に記載の冷凍装置の熱源ユニット。
【請求項３】
前記第１冷媒貯留容器と前記第２冷媒貯留容器との間の隙間を含む空間に配置されている断熱材（７２）をさらに備える、
請求項２に記載の冷凍装置の熱源ユニット。
【請求項４】
前記レシーバの前記第１冷媒貯留容器を載せる緩衝材（７３）をさらに備える、
請求項１から３のいずれか一項に記載の冷凍装置の熱源ユニット。
【請求項５】
前記本体ケーシングは、底フレーム（４６）と前記底フレームに固定されている架台（６０）を有し、前記第１冷媒貯留容器及び前記第２冷媒貯留容器のうちの一方が前記架台の中に配置され、他方が前記架台の上に配置されている、
請求項１から４のいずれか一項に記載の冷凍装置の熱源ユニット。
【請求項６】
前記第１冷媒貯留容器は、前記架台の上に配置され、
前記第２冷媒貯留容器は、前記架台の中に配置されている、
請求項５に記載の冷凍装置の熱源ユニット。
【発明の詳細な説明】
【技術分野】
【０００１】
本発明は、冷凍装置の熱源ユニット、特に、冷凍サイクルを行なわせるための熱源側冷媒回路を有する冷凍装置の熱源ユニットに関する。
【背景技術】
【０００２】
従来から、冷凍装置の熱源ユニットには、特許文献１（特開２００２−２９５９２７号公報）に記載されているように、熱源ユニットである室外機内に圧縮機とアキュムレータとレシーバとを収納するものがある。
【発明の概要】
【発明が解決しようとする課題】
【０００３】
しかしながら、特許文献１に記載されているようなアキュムレータとレシーバが一体になったアキュムレシーバのようなものでは、レシーバからの熱が直接アキュムレータの側に伝わってしまう。そこで、アキュムレータとレシーバを別体にして圧縮機などと一緒に熱源ユニットのケーシング内に収納しようとすると、熱源ユニットの占有面積が大きくなる傾向がある。
【０００４】
本発明の課題は、冷凍装置の熱源ユニットのアキュムレータとレシーバとを別体に構成するとともに熱源ユニットの占有面積を小さくすることである。
【課題を解決するための手段】
【０００５】
本発明の第１観点に係る冷凍装置の熱源ユニットは、冷凍サイクルを行なわせるための熱源側冷媒回路を有する冷凍装置の熱源ユニットであって、熱源側冷媒回路を収納する本体ケーシングと、熱源側冷媒回路に接続されている第１冷媒貯留容器で形成されているレシーバと、熱源側冷媒回路に接続され、第１冷媒貯留容器とは別体の第２冷媒貯留容器で形成されているアキュムレータとを備え、第１冷媒貯留容器と第２冷媒貯留容器は、本体ケーシング内において上下に並べて配置されている、ものである。
【０００６】
第１観点の冷凍装置の熱源ユニットにおいては、レシーバとアキュムレータが別体の第１冷媒貯留容器と第２冷媒貯留容器でそれぞれ形成されているので、レシーバとアキュムレータの間の熱の伝達を防止し易くなる。レシーバがアキュムレータとは別体であるが、第１冷媒貯留容器と第２冷媒貯留容器が上下に並べて配置されているので、本体ケーシングの占有面積を小さくすることができる。
【０００７】
本発明の第２観点に係る冷凍装置の熱源ユニットは、第１観点に係る室外ユニットにおいて、レシーバとアキュムレータは、第１冷媒貯留容器と第２冷媒貯留容器が互いの間に隙間を持つように配置されている、ものである。
【０００８】
第２観点の冷凍装置の熱源ユニットにおいては、第１冷媒貯留容器と第２冷媒貯留容器の間に隙間が確保され、レシーバとアキュムレータとの間の断熱性能を向上させることができる。
【０００９】
本発明の第３観点に係る冷凍装置の熱源ユニットは、第２観点に係る室外ユニットにおいて、第１冷媒貯留容器と第２冷媒貯留容器との間の隙間を含む空間に配置されている断熱材をさらに備える、ものである。
【００１０】
第３観点の冷凍装置の熱源ユニットにおいては、断熱材によって熱を遮断することができ、レシーバからアキュムレータへの熱伝導の抑制効果をさらに高めることができる。
【００１１】
本発明の第４観点に係る冷凍装置の熱源ユニットは、第１観点から第３観点のいずれかに係る室外ユニットにおいて、レシーバの第１冷媒貯留容器を載せる緩衝材をさらに備える、ものである。
【００１２】
第４観点の冷凍装置の熱源ユニットにおいては、レシーバを流れる冷媒から発生する騒音が本体ケーシングに伝わるのが緩衝材によって緩和され、本体ケーシングから外部に漏れる騒音を小さくすることができる。
【００１３】
本発明の第５観点に係る冷凍装置の熱源ユニットは、第１観点から第３観点のいずれかに係る室外ユニットにおいて、本体ケーシングは、底フレームと底フレームに固定されている架台を有し、第１冷媒貯留容器及び第２冷媒貯留容器のうちの一方が架台の中に配置され、他方が架台の上に配置されている、ものである。
【００１４】
第５観点の冷凍装置の熱源ユニットにおいては、架台を使って第１冷媒貯留容器及び第２冷媒貯留容器を配置するので、第１冷媒貯留容器と第２冷媒貯留容器の上下の配置が容易に実現される。
【００１５】
本発明の第６観点に係る冷凍装置の熱源ユニットは、第５観点に係る室外ユニットにおいて、第１冷媒貯留容器は、架台の上に配置され、第２冷媒貯留容器は、架台の中に配置されている、ものである。
【００１６】
第６観点の冷凍装置の熱源ユニットにおいては、アキュムレータよりもレシーバの方が熱くなるため、レシーバをアキュムレータの上に配置することで、レシーバからアキュムレータへの熱の伝達を抑制し易くなる。
【発明の効果】
【００１７】
本発明の第１観点に係る冷凍装置の熱源ユニットでは、アキュムレータとレシーバとが別体であるが、熱源ユニットの占有面積を小さくすることができる。
【００１８】
本発明の第２観点に係る冷凍装置の熱源ユニットでは、レシーバとアキュムレータとの間の熱伝導を抑制して熱源ユニットの性能を向上させることができる。
【００１９】
本発明の第３観点に係る冷凍装置の熱源ユニットでは、断熱効果を高めて熱伝導をさらに抑制することができる。
【００２０】
本発明の第４観点に係る冷凍装置の熱源ユニットでは、レシーバによる騒音を抑制することができる。
【００２１】
本発明の第５観点に係る冷凍装置の熱源ユニットでは、第１冷媒貯留容器と第２冷媒貯留容器を上下に配置した構造が設計し易くなる。
【００２２】
本発明の第６観点に係る冷凍装置の熱源ユニットでは、レシーバからアキュムレータへの熱の伝達を抑制して熱源ユニットの性能の向上が図れる。
【図面の簡単な説明】
【００２３】
【図１】本発明の一実施形態に係る空気調和装置の冷媒回路。
【図２】本発明の一実施形態に係る室外ユニットの斜視図。
【図３】右側板やポートケーシングなどが取り外された室外ユニットを示す斜視図。
【図４】アキュムレータと高圧レシーバの位置関係を説明するための側面図。
【発明を実施するための形態】
【００２４】
（１）全体構成
（１−１）空気調和装置の冷媒回路
本発明の一実施形態に係る冷凍装置の熱源ユニットとして、空気調和装置の室外ユニットを例に挙げて説明する。図１には、空気調和装置の冷媒回路が示されている。空気調和装置１０は、マルチ型の空気調和装置であって、１台の室外ユニット２０に対して５台の室内ユニット３０が並列に接続される構成となっている。ここでは、５台の室内ユニット３０が１台の室外ユニット２０に接続されている例が示されているが、後述する液管接続口やガス管接続口の数の設定などを変えれば、接続できる室内ユニット３０の台数の上限値は変更することができる。また、この実施形態のように構成されている空気調和装置１０でも、常に１台の室外ユニット２０に５台の室内ユニット３０を接続しなければならない訳ではなく、５台以内であれば何台でも接続が可能である。接続される室内ユニット３０が４台以下の場合には、室内ユニット３０が接続されない液管接続ポート１５の液管接続口やガス管接続ポート１４のガス管接続口は閉鎖される。
【００２５】
空気調和装置１０の冷媒回路１１は、主として、圧縮機２１、四路切換弁２２、室外熱交換器２３、高圧レシーバ用電動弁２４、高圧レシーバ２７、５つの各室用電動弁２５、室内熱交換器３１、アキュムレータ２６及び圧縮機用気液分離器２１ａが接続されたものである。この冷媒回路１１では、蒸気圧縮式の冷凍サイクルが行なわれる。冷媒回路１１は、室外ユニット２０の中に形成される室外側冷媒回路１２と室内ユニット３０の中に形成される室内側冷媒回路１３とが接続された構成になっている。室外側冷媒回路１２には、圧縮機２１、四路切換弁２２、室外熱交換器２３、高圧レシーバ用電動弁２４、５つの各室用電動弁２５、圧縮機用気液分離器２１ａ、アキュムレータ２６及び高圧レシーバ２７が含まれ、室内側冷媒回路１３には室内熱交換器３１が含まれる。
【００２６】
室外ユニット２０の室外側冷媒回路１２と室内ユニット３０の室内側冷媒回路１３との間は、５本のガス側冷媒連絡配管１７ａ及び５本の液側冷媒連絡配管１７ｂにより接続されている。５本のガス側冷媒連絡配管１７ａは、室外ユニット２０のガス管接続ポート１４に接続され、５本の液側冷媒連絡配管１７ｂは、室外ユニット２０の液管接続ポート１５に接続される。ガス管接続ポート１４は、５本のガス側冷媒連絡配管１７ａを１本にまとめて、ガス側閉鎖弁１８を介してその１本のガス管が四路切換弁２２の第４ポートに接続されている。この四路切換弁２２の第２ポートは室外熱交換器２３の一端側に接続されている。液管接続ポート１５は、５本の液側冷媒連絡配管１７ｂがそれぞれ５つの各室用電動弁２５の一端側に接続されて、５つの各室用電動弁２５の他端側に接続される１本の液管が液側閉鎖弁１９を介して高圧レシーバ２７に接続されている。高圧レシーバ２７は高圧レシーバ用電動弁２４の他端側に接続され、高圧レシーバ用電動弁２４の一端側は室外熱交換器２３の他端側に接続されている。また、圧縮機２１の吐出側が四路切換弁２２の第１ポートに接続され、四路切換弁２２の第３ポートがアキュムレータ２６に接続されている。アキュムレータ２６は圧縮機用気液分離器２１ａを介して圧縮機２１の吸入側に接続されている。
【００２７】
室外ユニット２０には、圧縮機２１や四路切換弁２２や高圧レシーバ用電動弁２４や各室用電動弁２５や電動弁２７ａや室外ファン２８などを制御するための室外側制御部２９が設けられている。また、各室内ユニット３０には、室内ファン３２などを制御するための室内側制御部３３が設けられている。さらに、高圧レシーバ２７から電動弁２７ｂを介してアキュムレータ２６に繋がるバイパスが設けられている。
【００２８】
（１−２）アキュムレータ
アキュムレータ２６は、容器２６ａと流入管２６ｂと流出管２６ｃとを有している。アキュムレータ２６の流入管２６ｂは四路切換弁２２の第３ポートに接続され、流出管２６ｃは圧縮機用気液分離器２１ａに接続されている。アキュムレータ２６は、容器２６ａの下部に液冷媒が貯留され、上部にガス冷媒が貯留される構成になっている。そして、容器２６ａ内部にある流入管２６ｂの流出口及び流出管２６ｃの流入口は、いずれも上部のガス冷媒が貯留される部分に配置されている。流出管２６ｃは、図１に示されているようにＵ字形の形状を持っており、Ｕ字形の湾曲部分に油戻し穴（図示せず）が形成されている。Ｕ字形の湾曲部分は、通常は液冷媒の中に浸っているように容器２６ａの下部に配置される。そのため、油戻し穴も通常は液冷媒中に存在する。アキュムレータ２６は、冷媒中に溶け込んだ冷凍機油を油戻し穴を通して圧縮機２１の方へ戻す役割を持っている。
【００２９】
（１−３）高圧レシーバ
高圧レシーバ２７は、運転状態の変化による冷媒循環量の変動を吸収したり、冷房運転時に冷媒を各室内熱交換機３１に安定して配分したりするなどの役割を果たしている。そのため、冷房運転時においては室外熱交換器２３において放熱した後の作動冷媒を一時的に溜め、また暖房運転時においては各室用電動弁２５において減圧された後の作動冷媒を一時的に溜めることが可能な容器２７ａを有している。また、高圧レシーバ２７から電動弁２７ｂを介してアキュムレータ２６にバイパスされる冷媒によって高圧レシーバ２７内の圧力を調整して冷媒回路１１における冷媒の循環を調整することができる。
【００３０】
（２）空気調和装置の動作
次に、この空気調和装置１０の冷房運転時及び暖房運転時の動作について説明する。なお、以下の説明では、５台の室内ユニット３０が全て動作している場合について説明しているが、各室内ユニット３０は、空気調和装置１０の設定や環境状況によって動作したり、停止したりするものである。
【００３１】
（２−１）冷房運転
まず、冷房運転時は、四路切換弁２２が図１において実線で示す状態に切り換えられて第１ポートと第２ポートが接続され、第３ポートと第４ポートが接続される。つまり、圧縮機２１の吐出側が室外熱交換器２３の一端側に接続され、圧縮機２１の吸入側がガス側閉鎖弁１８に接続される。このような冷房運転時の冷媒回路１１の回路構成により、圧縮機２１から吐出された高温高圧のガス冷媒は、四路切換弁２２を介して室外熱交換器２３に流入し、室外熱交換器２３で室外空気と熱交換されることによって凝縮して液化する。室外熱交換器２３で液化した液冷媒は、高圧レシーバ用電動弁２４を介して高圧レシーバ２７に流入する。高圧レシーバ２７に一時的に溜められた高圧の液冷媒は、高圧レシーバ２７から液側閉鎖弁１９を通過した後、５つに分流され、５つの分流が５つの各室用電動弁２５をそれぞれ通過する。液管接続ポート１５の５つの各室用電動弁２５を通過した液冷媒は、各室用電動弁２５を通過することで膨張し、それぞれ５本の液側冷媒連絡配管１７ｂを通って５台の室内ユニット３０にそれぞれ流入する。
【００３２】
各室内ユニット３０において、液冷媒は、室内熱交換器３１で室内空気と熱交換して蒸発する。そして、冷媒の蒸発によって冷却された室内空気は、室内ファン３２によって室内へと吹き出され、室内を冷房する。また、５台の室内熱交換器３１で蒸発して気化したガス冷媒は、５本のガス側冷媒連絡配管１７ａを通ってガス管接続ポート１４から室外ユニット２０の室外側冷媒回路１２に戻る。室外側冷媒回路１２に戻ったガス冷媒は、四路切換弁２２からアキュムレータ２６及び圧縮機用気液分離器２１ａを経由して圧縮機２１に吸入される。
【００３３】
（２−２）暖房運転
一方、暖房運転時は、四路切換弁２２が図１において破線で示す状態に切り換えられて第１ポートと第４ポートが接続され、第２ポートと第３ポートが接続される。つまり、圧縮機２１の吐出側がガス側閉鎖弁１８に接続され、圧縮機２１の吸入側が室外熱交換器２３の一端側に接続される。このような暖房運転時の冷媒回路１１の回路構成により、圧縮機２１から吐出された高温高圧のガス冷媒は、四路切換弁２２及びガス側閉鎖弁１８を介してガス管接続ポート１４から５本のガス側冷媒連絡配管１７ａに流出する。そして、ガス冷媒は、これら５本のガス側冷媒連絡配管１７ａを通って各室内ユニット３０の室内熱交換器３１に流入し、室内熱交換器３１で室内空気と熱交換されることによって凝縮して液化する。冷媒の凝縮によって加熱された室内空気は、室内ファン３２によって室内へと吹き出され、室内を暖房する。５台の室内熱交換器３１において液化した液冷媒は、それぞれ５本の液側冷媒連絡配管１７ｂを通って液管接続ポート１５から室外ユニット２０の室外側冷媒回路１２に戻る。室外ユニット２０に戻った液冷媒は、液管接続ポート１５において５つの各室用電動弁２５を通過する。５つの各室用電動弁２５を通過した液冷媒は、液管接続ポート１５で合流して液側閉鎖弁１９を通過して高圧レシーバ２７に流入する。各室用電動弁２５を通過することで膨張して高圧レシーバ２７に一時的に溜められた液冷媒は、高圧レシーバ２７から高圧レシーバ用電動弁２４を通してさらに減圧されて室外熱交換器２３に流入する。室外熱交換器２３に流入した液冷媒は、室外熱交換器２３で室外空気と熱交換して蒸発する。室外熱交換器２３で蒸発して気化したガス冷媒は、四路切換弁２２からアキュムレータ２６及び圧縮機用気液分離器２１ａを経由して圧縮機２１に吸入される。
【００３４】
（３）室外ユニットの詳細構成
（３−１）室外ユニットの外観
図２は、室外ユニット２０の正面側の右斜め上方から見た外観を示す斜視図である。なお、以下の説明では、室外ユニット２０を正面側から見て左右に向かう方向を室外ユニット２０の幅方向、上下に向かう方向を室外ユニット２０の高さ方向、それらの方向に直交する方向を奥行き方向という。
【００３５】
室外ユニット２０は、本体ケーシング４０とポートケーシング５０とを備えている。本体ケーシング４０は、前板４１と天板４２と右側板４３と左側板（図示せず）と底板４６（図３参照）とを備えている。また、本体ケーシング４０の前板４１には、開口部４１ａの前に、室外ファン２８のプロペラ２８ａをカバーするためのグリル４４が取り付けられている。
【００３６】
本体ケーシング４０の右側板４３からさらに右に突出してポートケーシング５０が取り付けられている。ポートケーシング５０は、ガス管接続ポート１４や液管接続ポート１５などを覆うための樹脂製の筐体である。図１に示されているように、ポートケーシング５０内には、ガス側閉鎖弁１８、液側閉鎖弁１９、ガス管接続ポート１４、液管接続ポート１５及び各室用電動弁２５が収納されている。
【００３７】
図３は、室外ユニット２０の後面側の右斜め上方から見た外観を示す斜視図である。図３においては、右側板４３やポートケーシング５０が取り外されて、本体ケーシング４０の内部の機械室Ｓ１に取り付けられているアキュムレータ２６及び高圧レシーバ２７が露出させられている。図２に示されている室外ファン２８のプロペラ２８ａや図３に示されている室外熱交換器２３は、機械室Ｓ１から仕切られている送風機室に配置されている。室外熱交換器２３は、平面視においてＬ字形の形状を呈する。室外熱交換器２３のＬ字形の一辺は本体ケーシング４０の後面側に対向している。本体ケーシング４０の後面側には、この室外熱交換器２３を覆う格子状の保護部材４５が配置されている。
【００３８】
図３においては、機械室Ｓ１に配置される圧縮機２１の図示も省略されている。圧縮機２１は、機械室Ｓ１においてアキュムレータ２６及び高圧レシーバ２７と奥行き方向に並べて配置される。また、図４には、上下に並べて配置されているアキュムレータ２６と高圧レシーバ２７の構造を側面から見た状態が模式的に示されている。
【００３９】
図３に示されているように、アキュムレータ２６の上に高圧レシーバ２７を配置するために、機械室Ｓ１の中に架台６０が組まれている。架台６０は、板状の載置部６１に４本の脚部６２が取り付けられた構成になっている。これら載置部６１や脚部６２は、機械室Ｓ１を構成しているような板金部材と同様の材料を用いて構成することができる。高圧レシーバ２７の上部に設けられている配管２７ｃまでの全体の高さＨ１は、当然、本体ケーシング４０の機械室Ｓ１の高さよりも低い。また、他の部材の配置や組立が容易になるので、室外熱交換器２３の高さよりも全体の高さＨ１が低いことが好ましい。
【００４０】
架台６０の下に配置されているアキュムレータ２６は、緩衝部材７１を介して本体ケーシング４０の底板４６に固定されている。例えば、架台６０の脚部６２がネジやスポット溶接などによって底板４６に固定されることにより架台６０が本体ケーシング４０に固定される。そのため、アキュムレータ２６で冷媒の動きや圧縮機２１から伝わる振動によって発生する騒音は、緩衝部材７１で吸収され、緩衝部材７１よりも先にある底板４６などには伝わらない。そのため、騒音を低く抑えることができる。アキュムレータ２６と架台６０との間には隙間があって、アキュムレータ２６は架台６０には接触していない。そのため、アキュムレータ２６と架台６０との間は空気で断熱されている。
【００４１】
架台６０の載置部６１の上には断熱部材７２があって、載置部６１の上面は、断熱部材７２で覆われている。また、その断熱部材７２の上に緩衝部材７３が配置されている。そして、緩衝部材７３の凹部の中に高圧レシーバ２７が載置されている。緩衝部材７１，７３は例えば耐熱性のゴムで形成され、断熱部材７２は例えば樹脂を発泡させたフォームで形成されている。高圧レシーバ２７と断熱部材７２との間には緩衝部材７３があるが、断熱部材７２も耐熱性の高い材料で構成されることが好ましく、例えばポリエチレンフォームやウレタンフォームなどが用いられる。
【００４２】
（４）特徴
（４−１）
上述のように、室外ユニット２０（冷凍装置の熱源ユニットの例）は、蒸気圧縮式の冷凍サイクルを行なわせるための室外側冷媒回路１２（熱源側冷媒回路の例）を有している。この室外側冷媒回路１２は、室外ユニット２０の本体ケーシング４０に収納されている。高圧レシーバ２７（レシーバの例）は、室外側冷媒回路１２に接続されている容器２７ａ（第１冷媒貯留容器の例）で形成され、アキュムレータ２６も、室外側冷媒回路１２に接続されている容器２６ａ（第２冷媒貯留容器の例）で形成されている。そして、図３及び図４に示されているように、容器２６ａと容器２７ａは、本体ケーシング４０内において上下に並べて配置されている。このように、高圧レシーバ２７の容器２７ａとアキュムレータ２６の容器２６ａが上下に並べて配置されているので、本体ケーシング４０の占有面積を小さくすることができる。また、高圧レシーバ２７とアキュムレータ２６が別体の容器２７ａと容器２６ａでそれぞれ形成されているので、高圧レシーバ２７とアキュムレータ２６の間の熱の伝達を防止し易くなる。
【００４３】
（４−２）
図４に示されているように、高圧レシーバ２７とアキュムレータ２６は、容器２７ａと容器２６ａが互いの間に隙間ＳＰを持つように上下に配置されている。この隙間ＳＰによって高圧レシーバ２７とアキュムレータ２６との間の断熱性能が向上し、高圧レシーバ２７とアキュムレータ２６との間の熱伝導を抑制して室外ユニット２０の性能を向上させることができる。
【００４４】
（４−３）
高圧レシーバ２７の容器２７ａとアキュムレータ２６の容器２６ａとの間の隙間ＳＰを含む空間に断熱部材７２（断熱材の例）が配置されている。この断熱部材７２によって高圧レシーバ２７の容器２７ａからアキュムレータ２６の容器２６ａへの熱を遮断することができ、高圧レシーバ２７からアキュムレータ２６への熱伝導の抑制効果をさらに高めることができる。
【００４５】
（４−４）
高圧レシーバ２７の容器２７ａは緩衝部材７３（緩衝材の例）を介して架台６０の載置部６１に載置されている。そのため、高圧レシーバ２７を流れる冷媒から発生する騒音が架台６０を介して本体ケーシング４０に伝わるのが緩衝部材７３によって緩和され、本体ケーシング４０から外部に漏れる騒音を小さくすることができる。
【００４６】
（４−５）
本体ケーシング４０では、架台６０が底板４６（底フレームの例）に固定されている。そして、高圧レシーバ２７の容器２７ａが架台６０の上に配置され、アキュムレータ２６の容器２６ａが架台６０の中に配置されている。この高圧レシーバ２７がアキュムレータ２６よりも熱くなるため、高圧レシーバ２７をアキュムレータ２６の上に配置することで、高圧レシーバ２７からアキュムレータ２６への熱の伝達が抑制される。
【００４７】
（５）変形例
（５−１）変形例Ａ
上記実施形態では、１台の室外ユニット２０に５台の室内ユニット３０が接続されているマルチ型の空気調和装置１０について説明したが、１台の室外ユニット２０に１台の室内ユニット３０が接続されているタイプの空気調和装置であってもアキュムレータとレシーバとを有するものであれば本発明を適用することができる。
【符号の説明】
【００４８】
１０    空気調和機
１１    冷媒回路
１２    室外側冷媒回路
１３    室内側冷媒回路
２０    室外ユニット
２１    圧縮機
２３    室外熱交換器
２６    アキュムレータ
２６ａ    容器
２７    高圧レシーバ
２７ａ    容器
４０    本体ケーシング
４６    底板
６０    架台
７１，７３    緩衝部材
７２    断熱部材
【先行技術文献】
【特許文献】
【００４９】
【特許文献１】特開２００２−２９５９２７号公報
【図１】
2015098974.tif 000003
【図２】
2015098974.tif 000004
【図３】
2015098974.tif 000005
【図４】
2015098974.tif 000006